(57)【要約】【課題】視覚的に容易にアニメーションを設定可能なカメラ付き携帯電話機を提供する。【解決手段】ステップＳ１でカメラの連写機能による連続撮影の終了後、あるいはステップＳ２でアルバム機能からアニメーションを選択すると、ステップＳ３で自作アニメーション作成画面へ遷移する。画面右側の表示エリア（＃１）には撮影した画像をサムネイル形式で表示し、画面左側の表示エリア（＃２）には自作アニメーションの各フレーム番号に設定した画像をサムネイル表示する。表示エリア（＃１）では、カーソルが画像上にフォーカスされている状態で決定キーが押下されると、現在選択中の画像が自作アニメーションのフレームに設定される。選択した画像は表示エリア（＃２）の該当するフレーム番号にサムネイル表示される。【選択図】      図４
2004179923.tif 000002
【特許請求の範囲】
【請求項１】
静止画画像を表示画面上に表示可能な携帯電話機であって、前記静止画画像をその画像の絵柄が一目で分かるように小さく表示するサムネイル形式で表示する画像画面と、前記画像画面で選択された静止画画像をアニメーション表示するための各フレーム番号毎にサムネイル表示するフレーム画面とを前記表示画面上に同時に表示することを特徴とする携帯電話機。
【請求項２】
前記静止画画像は、ディジタルカメラを用いた連写機能で連続して撮影された静止画画像であることを特徴とする請求項１記載の携帯電話機。
【請求項３】
前記連写機能で連続して撮影された複数の静止画画像を前記画像画面に表示し、前記画像画面において取捨選択された静止画画像を前記フレーム画面に表示してアニメーション登録することを特徴とする請求項２記載の携帯電話機。
【請求項４】
前記アニメーション登録された静止画画像における再生スピードを変更自在としたことを特徴とする請求項３記載の携帯電話機。
【請求項５】
前記アニメーション登録された静止画画像におけるリピート設定を自在としたことを特徴とする請求項３または請求項４記載の携帯電話機。
【請求項６】
静止画画像を表示画面上に表示可能な携帯電話機の連写画像の自作アニメーション設定方法であって、前記静止画画像をその画像の絵柄が一目で分かるように小さく表示するサムネイル形式で前記表示画面上の画像領域に表示するステップと、前記画像領域で選択された静止画画像をアニメーション表示するための各フレーム番号毎にサムネイル形式で前記表示画面上に前記画像領域と同時に表示されるフレーム領域に表示するステップとを有することを特徴とする連写画像の自作アニメーション設定方法。
【請求項７】
前記静止画画像は、ディジタルカメラを用いた連写機能で連続して撮影された静止画画像であることを特徴とする請求項６記載の連写画像の自作アニメーション設定方法。
【請求項８】
前記連写機能で連続して撮影された複数の静止画画像を前記画像領域に表示し、前記画像領域において取捨選択された静止画画像を前記フレーム領域に表示してアニメーション登録することを特徴とする請求項７記載の連写画像の自作アニメーション設定方法。
【請求項９】
前記アニメーション登録された静止画画像における再生スピードを変更するステップを含むことを特徴とする請求項８記載の連写画像の自作アニメーション設定方法。
【請求項１０】
前記アニメーション登録された静止画画像におけるリピート設定を行うステップを含むことを特徴とする請求項８または請求項９記載の連写画像の自作アニメーション設定方法。
【発明の詳細な説明】
【０００１】
【発明の属する技術分野】
本発明は携帯電話機及びそれに用いる連写画像の自作アニメーション設定方法に関し、特にカメラ付き携帯電話機の連写機能に関する。
【０００２】
【従来の技術】
近年、携帯電話機においては、ディジタルカメラを搭載し、そのディジタルカメラで撮影した画像を電子メールとして送信したり、あるいは自端末内に保存してアルバムとして閲覧する機能が搭載されているものがある。
【０００３】
このカメラ付き携帯電話機の中には、ディジタルカメラで連続して撮影する連写機能を搭載するものもあり、その連写機能にて撮影された画像は、サムネイル画像（画像の絵柄が一目で分かるように、小さく表示した見本画像）で表示したり（例えば、特許文献１参照）、アニメーション化して表示したりしている（例えば、特許文献２参照）。
【０００４】
【特許文献１】
特開２０００−２１５３２２号公報（第４，５頁、図１）
【特許文献２】
特開２０００−９２４３７号公報（第２〜４頁、図１）
【０００５】
【発明が解決しようとする課題】
上述した従来のカメラ付き携帯電話機では、その連写機能で撮影した画像が１セットとして一つのアニメーションとして登録されてしまう。そのため、従来のカメラ付き携帯電話機では、連写を行った際、手ブレ等が原因で写りの良くない画像までも登録されてしまう。
【０００６】
また、従来のカメラ付き携帯電話機では、自作アニメーションを作成する際、フレーム番号画面と画像選択画面とが別々の画面となっており、アニメーションフレームの遷移を視覚的に理解しづらくなっている。
【０００７】
そこで、本発明の目的は上記の問題点を解消し、視覚的に容易にアニメーションを設定することができる携帯電話機及びそれに用いる連写画像の自作アニメーション設定方法を提供することにある。
【０００８】
【課題を解決するための手段】
本発明による携帯電話機は、静止画画像を表示画面上に表示可能な携帯電話機であって、前記静止画画像をその画像の絵柄が一目で分かるように小さく表示するサムネイル形式で表示する画像画面と、前記画像画面で選択された静止画画像をアニメーション表示するための各フレーム番号毎にサムネイル表示するフレーム画面とを前記表示画面上に同時に表示している。
【０００９】
本発明による連写画像の自作アニメーション設定方法は、静止画画像を表示画面上に表示可能な携帯電話機の連写画像の自作アニメーション設定方法であって、前記静止画画像をその画像の絵柄が一目で分かるように小さく表示するサムネイル形式で前記表示画面上の画像領域に表示するステップと、前記画像領域で選択された静止画画像をアニメーション表示するための各フレーム番号毎にサムネイル形式で前記表示画面上に前記画像領域と同時に表示されるフレーム領域に表示するステップとを備えている。
【００１０】
すなわち、本発明のカメラ付き携帯電話機は、ディジタルカメラを用いた連写機能で撮影した静止画画像をサムネイル形式のインタフェースを用いてアニメーションを設定することで、簡単に自作アニメーションを設定することが可能となる。
【００１１】
上記のように、本発明のカメラ付き携帯電話機では、ユーザが連写撮影後の画像を取捨選択し、アニメーション登録を行えるように、また別の連続撮影を行った画像と簡単に連結できるようにサムネイル表示によって画像を視覚的に判断しやすくするように、フレーム画面と画像画面とを同一画面にすることで、アニメーションの作成について、操作性の向上を図ることが可能となる。
【００１２】
【発明の実施の形態】
次に、本発明の実施例について図面を参照して説明する。図１は本発明の一実施例によるカメラ付き携帯電話機の構成を示すブロック図である。図１において、携帯電話機１はアンテナ１１と、無線部１２と、制御部１３と、画像記録部１６と、表示部１７と、ディジタルカメラ（以下、カメラとする）１８と、キー部１９と、マイク２０と、レシーバ２１とから構成され、制御部１３はＣＰＵ（中央処理装置）１４とメモリ１５とを備えている。
【００１３】
アンテナ１１で受信された無線信号は無線部１２によって復調されて電気信号となる。復調された電気信号は制御部１３によってデコードされ、制御部１３内のＣＰＵ１４によって自己の呼出し信号［自ＩＤ（識別情報）］であるかの解析が行われる。通常、自ＩＤはメモリ１５に格納されている。
【００１４】
ＣＰＵ１４が受信信号を自己の呼出し信号であると判断すると、表示部１７等の報知手段によって着信したことの報知動作が行われる。その報知中にオフフックキー（キー部１９の中で対応するキー）が押下されると、制御部１３はＣＰＵ１４に対してオフフックキーが押下されたことを通知する。ＣＰＵ１４はオフフックキーが押下されたことを確認すると、呼設定応答要求を制御部１３に対して行う。呼設定応答要求は制御部１３によってエンコードされ、無線部１２で変調され、アンテナ１１から無線信号として基地局（図示せず）に送出される。
【００１５】
ＣＰＵ１４の呼設定応答によって呼設定が完了すると、マイク２０及びレシーバ２１を用いて通話動作が行われる。尚、ＣＰＵ１４はメモリ１５に格納されたプログラム（コンピュータで実行可能なプログラム）を実行することで、上記のような制御を行う。
【００１６】
カメラ１８は連写機能を備えており、画像記録部１６はカメラ１８の撮影された画像［連写機能で撮影された画像や外部から図示せぬインタフェースを介して入力される画像（例えば、アルバム用の画像等）、電子メール機能を用いて取得した画像等を含む）を記録する。
【００１７】
図２は図１の表示部１７の表示画面の構成を示す図である。図２において、表示部１７の表示画面は表示エリア（＃１）３１と、表示エリア（＃２）３２と、メール受信状況表示、電界レベルアイコン（アンテナのアイコン）、残電池表示エリア３３と、登録キー表示エリア３４と、方向キー及び決定キー表示エリア３５と、ＭＥＮＵキー表示エリア３６とから構成されている。
【００１８】
図３は図１のキー部１９の構成を示す図である。図３において、キー部１９には方向キー４１と、決定キー４２と、登録キー４３と、メニュー（ＭＥＮＵ）キー４４と、プレビューキー４５と、電源キー４６と、ディジットキーエリア４７とが配設されている。
【００１９】
図４は本発明の一実施例による自作アニメーション設定方法の概要を示す図である。これら図１〜図４を参照して本発明の一実施例による自作アニメーション設定方法について説明する。本発明の一実施例による自作アニメーション設定方法は、携帯電話機１のカメラ１８の連写機能で撮影した静止画画像をサムネイル（画像の絵柄が一目で分かるように、小さく表示した画像見本）形式で表示し、その画像を選択することで、アニメーションに設定する方法である。
【００２０】
カメラ１８の連写機能による連続撮影の終了後（図４ステップＳ１）、あるいはアルバム機能［画像記録部１６に格納された画像（撮影した画像等）を順次閲覧する機能］からアニメーションを選択すると（図４ステップＳ２）、図２に示す自作アニメーション作成画面へ遷移する（図４ステップＳ３）。
【００２１】
図２において、画面右側の表示エリア（＃１）３１には撮影した画像をサムネイル形式で表示する（画像＃１〜＃１２）。また、画面左側の表示エリア（＃２）３２には自作アニメーションの各フレーム番号に設定した画像をサムネイル表示する（画像＃１３〜＃１８）。
【００２２】
表示エリア（＃１）３１では、現在選択中の画像にカーソルがフォーカスされており、図３で示す方向キー４１によって表示部１７の画面上のカーソル（図示せず）が移動する。
【００２３】
また、表示エリア（＃１）３１では、カーソルが画像＃１〜＃１２上にフォーカスされている状態で決定キー４２が押下されると、現在選択中の画像（フォーカスされている画像）を自作アニメーションのフレームに設定することができる。上記のようにして選択した画像は、表示エリア（＃２）３２の該当するフレーム番号（画像＃１３〜画像＃１８）にサムネイル表示される。
【００２４】
上記のようにして設定された自作アニメーションのフレームを登録する場合には、登録キー４３を押下することで、登録が可能である。登録を行ったアニメーションは画像記録部１６に記録され、アルバム機能で閲覧可能となる。
【００２５】
図５〜図１０は本発明の一実施例による自作アニメーション設定方法の動作を示すフローチャートである。これら図１〜図１０を参照して本発明の一実施例による自作アニメーション設定方法の動作について説明する。尚、図５〜図１０に示す処理はサムネイル表示において自作アニメーションを設定し、閲覧するまでの処理動作を示しており、ＣＰＵ１４がメモリ１５のプログラムを実行することで実現される。また、本実施例による自作アニメーションはＪＰＥＧ（Ｊｏｉｎｔ  Ｐｈｏｔｏｇｒａｐｈｉｃ  Ｅｘｐｅｒｔｓ  Ｇｒｏｕｐ）画像を連続して表示する動作である。
【００２６】
カメラ１８における連写モードで連続撮影した後（図５ステップＳ１，Ｓ２）、自作アニメーション作成画面（図２参照）へ遷移する（図５ステップＳ４）。
この時、カメラ１８における連写モードで連続撮影することができる画像枚数は１〜ｎ（ｎは自然数）までとする。
【００２７】
自作アニメーション作成画面の初期画面では、表示エリア（＃１）３１に、カメラ１８の連写モードで連続撮影後の画像（画像＃１３〜＃１８）がサムネイル表示されてする。この場合、表示エリアではデフォルト値として撮影後の画像をアニメーションのフレームに設定された状態で表示される。初期カーソル位置は表示エリア（＃１）３１の画像＃１とする。
【００２８】
ここで、カーソルの操作について、表示エリア（＃１）３１での動作について説明する。カーソルは方向キー４１で上、下、左、右にそれぞれ操作することが可能であり（図５ステップＳ５〜Ｓ９）、画像が複数ページにわたる場合において、前後のページへのスクロールも可能とする。
【００２９】
つまり、画像＃１〜＃３で方向キー４１の上キーが押下された時には前ページを表示し、画像＃１０〜＃１２で方向キー４１の下キーが押下された時には次ページを表示する。
【００３０】
上記のページスクロールはページ番号を循環することとし、一番最初（最後）のページの場合には一番最後（最初）のページを表示する。また、画像＃１，＃４，＃７，＃１０で方向キー４１の左キーが押下された時に（図５ステップＳ５〜Ｓ８）、表示エリア（＃１）３１から表示エリア（＃２）３２へのカーソルの遷移が可能である（図５ステップＳ１０）。
【００３１】
次に、表示エリア（＃２）３２について説明する。カーソルは方向キー４１で上、下、右にそれぞれ動作可能であり、画像が複数ページにわたる場合において、前後のページへのスクロールも可能とする。つまり、画像＃１３で方向キー４１の上キーが押下された時には前ページを表示し（図５ステップＳ５，Ｓ６、図９ステップＳ１６，Ｓ１８，Ｓ１９）、画像＃１８で方向キー４１の下キーが押下された時には次ページを表示する。表示エリア（＃２）から表示エリア（＃１）への遷移は方向キー４１の右キーを押下することによって行うことができる（図５ステップＳ５，Ｓ６、図９ステップＳ１６，Ｓ１８，Ｓ２０）。
【００３２】
続いて、決定キー４２の動作について説明する。カーソルが表示エリア（＃１）にある時には、決定キー４２の押下によって（図５ステップＳ５〜Ｓ７）、選択した画像が表示エリア（＃２）３２のセットした対象フレームに設定されるとともに（図１０ステップＳ２１，Ｓ２２）、その画像が表示エリア（＃２）３２においてサムネイル表示される。
【００３３】
フレームに選択された後、表示エリア（＃２）３２では自動的に次のフレームにセットされるため、表示エリア（＃１）３１において続けて次のフレームを操作することができる。この時、同一の画像を複数のフレームに設定可能とする。
カーソルが表示エリア（＃２）３２にある時には、決定キー４２の押下によって、そのフレームをセットすることができる（図５ステップＳ５，Ｓ６、図９ステップＳ１６，Ｓ１７）。
【００３４】
ここで、表示エリア（＃１）３１もしくは表示エリア（＃２）３２においてプレビューキー４５が押下された時には（図５ステップＳ５）、カーソルの当たっている画像の全画面表示が行われる（図７ステップＳ１４）。
【００３５】
メニューキー４４が押下された時には（図５ステップＳ５）、アニメーションの諸設定が可能となる（図６ステップＳ１１）。メニューの項目としては、再生スピードの変更（図６ステップＳ１２）と、ループ設定（図６ステップＳ１３）とが可能である。再生スピードの変更では自作アニメーションのフレームレートを変更することができ、閲覧時には設定した再生スピードで表示される。ループ設定では再生時にリピート再生を行うか否かの設定が可能である。
【００３６】
登録キー４３が押下された時には（図５ステップＳ５）、作成したアニメーションの画像記録部１６への登録処理が行われる（図８ステップＳ１６）。作成したアニメーションはアルバム内のビューア機能を起動することで、作成したアニメーションを閲覧することができる。また、作成したアニメーションは待受画面や電話発信画面、電話帳に貼り付けることが可能である。
【００３７】
上述した処理ではカメラ１８の連写モードで連続撮影した後の遷移について説明したが、別の遷移として、撮影画像を格納しているアルバムからの起動も可能である（図５ステップＳ１，Ｓ３）。アルバムの場合には、表示エリア（＃１）３１にアルバム内の画像を表示する。尚、自作アニメーションに登録することができるフレーム数は１〜ｍまでとし、ｍ≧ｎとする。
【００３８】
このように、本実施例では、カメラ１８を用いた連写機能で撮影した静止画画像をサムネイル形式のインタフェースを用いてアニメーションを設定することで、視覚的に容易にアニメーションを設定することができる。
【００３９】
また、本実施例では、ユーザが連写撮影後の画像を取捨選択し、アニメーション登録を行えるように、また別の連続撮影を行った画像と簡単に連結できるようにサムネイル表示によって画像を視覚的に判断しやすくするように、フレーム画面［表示エリア（＃２）３２］と画像画面［表示エリア（＃１）３１］とを同一画面（表示部１７の表示画面）にすることで、アニメーションの作成について、作成した自作アニメーションのフレームを自由に変更かることができ、操作性の向上を図ることができる。
【００４０】
さらに、本実施例では、表示部１７の表示画面上でメニューキー４４を押下することで、作成したアニメーションの再生速度やループ設定を変更することができる。
【００４１】
尚、本実施例では、表示エリア（＃２）３２をフレーム画面とし、表示エリア（＃１）３１を画像画面としているが、表示エリア（＃２）３２を待ち受け画面、電話帳等のアニメーションの貼付設定先とし、表示エリア（＃１）３１にサムネイル表示した画像を選択することもでき、これに限定されない。
【００４２】
【発明の効果】
以上説明したように本発明は、静止画画像を表示画面上に表示可能な携帯電話機において、静止画画像をその画像の絵柄が一目で分かるように小さく表示するサムネイル形式で表示画面上の画像領域に表示するとともに、画像領域で選択された静止画画像をアニメーション表示するための各フレーム番号毎にサムネイル形式で表示画面上に画像領域と同時に表示されるフレーム領域に表示することによって、視覚的に容易にアニメーションを設定することができるという効果が得られる。
【図面の簡単な説明】
【図１】本発明の一実施例によるカメラ付き携帯電話機の構成を示すブロック図である。
【図２】図１の表示部の表示画面の構成を示す図である。
【図３】図１のキー部の構成を示す図である。
【図４】本発明の一実施例による自作アニメーション設定方法の概要を示す図である。
【図５】本発明の一実施例による自作アニメーション設定方法の動作を示すフローチャートである。
【図６】本発明の一実施例による自作アニメーション設定方法の動作を示すフローチャートである。
【図７】本発明の一実施例による自作アニメーション設定方法の動作を示すフローチャートである。
【図８】本発明の一実施例による自作アニメーション設定方法の動作を示すフローチャートである。
【図９】本発明の一実施例による自作アニメーション設定方法の動作を示すフローチャートである。
【図１０】本発明の一実施例による自作アニメーション設定方法の動作を示すフローチャートである。
【符号の説明】
１  携帯電話機
１１  アンテナ
１２  無線部
１３  制御部
１４  ＣＰＵ
１５  メモリ
１６  画像記録部
１７  表示部
１８  ディジタルカメラ
１９  キー部
２０  マイク
２１  レシーバ
３１  表示エリア（＃１）
３２  表示エリア（＃２）
３４  登録キー表示エリア
３５  方向キー及び決定キー表示エリア
３６  ＭＥＮＵキー表示エリア
４１  方向キー
４２  決定キー
４３  登録キー
４４  メニューキー
４５  プレビューキー
４６  電源キー
４７  ディジットキーエリア
【図１】
2004179923.tif 000003
【図２】
2004179923.tif 000004
【図３】
2004179923.tif 000005
【図４】
2004179923.tif 000006
【図５】
2004179923.tif 000007
【図６】
2004179923.tif 000008
【図７】
2004179923.tif 000009
【図８】
2004179923.tif 000010
【図９】
2004179923.tif 000011
【図１０】
2004179923.tif 000012